(57)【要約】【課題】ベッドのシーツを容易に設置できるシーツ及び部材を提供する。【解決手段】シーツのマットレスの下に挟み込む、少なくとも一端にポケットを有し、該ボケット中にプレートを挿入した、プレート入シーツ。【選択図】図１
2020018812.tif 000002
【特許請求の範囲】
【請求項１】
シーツのマットレスの下に挟み込む、少なくとも一端にポケットを有し、該ボケット中にプレートを挿入した、プレート入シーツ。
【請求項２】
前記ポケットがシーツの端の両端に設けられ、該ポケット内にそれぞれプレートを有することを特徴とする、請求項１のプレート入シーツ。
【請求項３】
前記プレートが、樹脂製である請求項１または２のプレート入シーツ。
【請求項４】
前記樹脂が、ベルポーレンである、請求項１〜３のいずれか１に記載のプレート入シーツ。
【請求項５】
請求項１〜４のいずれか１に記載のプレート入シーツを設置されたベッド。
【請求項６】
プレートを挿入できるポケットを有するシーツ。
【請求項７】
少なくとも２つのポケットを有する、請求項６のシーツ。
【請求項８】
前記ポケットが開閉自在の封止手段を有する、請求項６または７シーツ。
【発明の詳細な説明】
【技術分野】
【０００１】
本発明は、シーツをベッドに設置する作業を容易にするシーツ及び部材に関する。より詳しくは、防水シーツをベッドの一部に設置する作業を容易にするシーツ及び部材に関する。
【背景技術】
【０００２】
従来、シーツをベッドに設置するのはかなりの重労働で、時間もかかり、腰を痛めるなど、体を壊す人も出るなど、シーツを設置する時間や介護へルパー等の労働負担が問題になっていた。
【０００３】
従来ベッドメイクを迅速にする発明としては、例えば、かけ布団カバーを簡単に取り付ける発明があったが、大きな器具を用いる必要があった（特許文献１）。
【０００４】
そこで、簡易な構造で迅速にシーツをベッドに設置できる方法及びシーツが求められていた。
【先行技術文献】
【特許文献】
【０００５】
【特許文献１】特開２００６−２７１９３１
【発明の概要】
【発明が解決しようとする課題】
【０００６】
ベッドのシーツを容易に設置できるシーツ及び部材を提供する。
【課題を解決するための手段】
【０００７】
（１）シーツのマットレスの下に挟み込む、少なくとも一端にポケットを有し、該ボケット中にプレートを挿入した、プレート入シーツ。
（２）前記ポケットがシーツの端の両端に設けられ、該ポケット内にそれぞれプレートを有することを特徴とする、（１）のプレート入シーツ。
（３）前記プレートが、樹脂製である（１）または（２）のプレート入シーツ。
（４）前記樹脂が、ベルポーレンである、（１）〜（３）のいずれか１に記載のプレート入シーツ。
（５）（１）〜（４）のいずれか１に記載のプレート入シーツを設置されたベッド。
（６）プレートを挿入できるポケットを有するシーツ。
（７）少なくとも２つのポケットを有する、（６）のシーツ。
（８）前記ポケットが開閉自在の封止手段を有する、（６）または（７）シーツ。
【発明の効果】
【０００８】
本発明のシーツによれば、従来品よりも迅速にシーツを設置できる。
【図面の簡単な説明】
【０００９】
【図１】図１は、本発明のシーツの平面図である。
【図２】図２は、本発明のシーツをベッドのマットレスの下に設置する様子を示した図である。
【発明を実施するための形態】
【００１０】
防水シーツは、寝汗、おねしょ、介護用等にベッドのマットレスを覆うようにかけて使用される。防水シーツには、マットレス全体をカバーするものもあるが、ベッドの一部を覆うハーフタイプの防水シーツもよく使われている。特に、ベッドの一端を壁に付けて設置することが介護施設では行われているが、この場合に、防水シーツをマットレスやベッドと直角に設置しようとすると、奥側に手を入れてシーツの一端を挟み込み、シワを伸ばしてさらに、他端を挟み込む作業が必要となり、シーツ設置者にとって時間もかかり、大きな作業負担となっていた。
【００１１】
本発明のシーツにおいては、シーツのマットレスに挟み込む部分にプレート（薄板）を入れるポケットを設置し、このポケットにプレートを挿入したシーツを使用することで、ワンタッチでシーツをベッドに設置でき、介護ヘルパー等の身体的負担も軽減できることを見出し、本発明を完成した。すなわち、本発明は、シーツの短い辺の少なくとも一端に、該辺と平行にポケットを設け、そこにプレートを入れることにより、シーツをマットレスの奥側（壁付けベッドの場合は壁側）に容易に挿入でき、シワを防止でき、設置者の身体的負担も軽減できるものである。また、本発明は、プレートを入れていない、プレート挿入用のポケット付きシーツも提供する。
【００１２】
本発明のシーツは、大きなシーツ（フルサイズのシーツ）でも、ハーフタイプ等の小型のシーツでも適用可能である。ハーフタイプの防水シーツを壁付けのベッドに設置するのにも適している。本発明のシーツは、ベッドに対して略直角方向に設置する、ハーフタイプの防水シーツであってもよく、通常のシーツであってもよい。
【００１３】
シーツの短い辺の一端の両側にポケットを設け、そこに薄いプレートを各１枚づつ挿入し、ベルクロ（登録商標、面ファスナー、マジックテープ（登録商標））等でポケットの入り口を塞いでプレートがポケットから出るのを防止する。入り口を塞ぐ手段は、面ファスナーでもよく、ボタン、（通常の）ファスナー等であってもよく、要するに、プレートがほとんど動かず、シーツの設置に支障がない手段であればよい。
【００１４】
シーツに設けるポケットの数、プレートの数は特に制限されず、１つのポケットに１枚のプレートを入れてもよく、または３個以上のポケットを設置して３枚以上のプレートを入れてもよい。これらは、シーツの大きさによって適宜決定することができる。
【００１５】
好ましい１つの実施態様としては、薄いプレートをシーツの一端の左右両側のポケットに挿入し、面ファスナー等によりプレートが出ないように出口を塞いだ後、薄いプレートを含むポケットの左右のプレートが入っている部分を、左右の手でそれぞれ１つづつ持ってベッドのマットレスの奥側の下に挿入し、シーツを手前に引っ張って伸ばした後、手前のマットレスの下にシーツを挿入することで本発明のシーツをベッドに設置することができる。
【００１６】
この方法によれば、手でシーツを奥側に挟む作業が短時間で可能である。また、ベッドとマットレスに挟む深さ（奥行き）が均一にできることから、作業者によるバラツキが抑えられる。２枚のプレートをそれぞれ左右の手で引っ張ることでシワを少なくできるというメリットもある。この方法により、通常のやり方の２〜５倍程度の早さでシーツを設置でき、設置者の腰等への負担も軽減できる。
【００１７】
ポケットに挿入するプレートは、１０ｃｍ×２０ｃｍ程度の直方体の薄板が好ましく用いられるが、シーツの設置が容易になる大きさであれば特に制限されない。また、横長に限らず、縦長の長方形や、正方形であってもよい。また、長方形に限らず、多角形や一部に円弧や楕円を含んでいてもよい。また、内部に空間が空いていてもよい。
【００１８】
プレートを挿入するポケットは、プレートが挿入しやすいように、ポケットとプレートの辺との間に数ｍｍ程度の隙間を有することが好ましい。ポケットには、入り口部分に面ファスナー（ベルクロ（登録商標）等）を設置して容易に開閉できるようにすることが好ましい。
【００１９】
プレートの縦辺の長さの上限としては、50ｃｍ以下、40ｃｍ以下、30ｃｍ以下、20ｃｍ以下、15ｃｍ以下、12ｃｍ以下、11ｃｍ以下、10ｃｍ以下であってもよく、プレートの縦辺の長さの下限としては、1ｃｍ以上、2ｃｍ以上、3ｃｍ以上、4ｃｍ以上、5ｃｍ以上、6ｃｍ以上、7ｃｍ以上、8ｃｍ以上、9ｃｍ以上、10ｃｍ以上であってもよい。
【００２０】
プレートの横辺の長さの上限としては、50ｃｍ以下、40ｃｍ以下、25ｃｍ以下、20ｃｍ以下であってもよく、プレートの横辺の長さの下限 としては、1ｃｍ以上、5ｃｍ以上、10ｃｍ以上、15ｃｍ以上、20ｃｍ以上であってもよい。
【００２１】
プレートの厚さの上限としては、10ｍｍ以下、5ｍｍ以下、2ｍｍ以下、1ｍｍ以下であってもよく、プレートの厚さの下限としては、0.3ｍｍ以上、0.5ｍｍ以上、0.7ｍｍ以上、0.8ｍｍ以上、0.9ｍｍ以上、1ｍｍ以上であってもよい。
【００２２】
プレートの材質としては、樹脂製、金属製、木製等であってもよく、特に制限されないが、樹脂製、特にプラスチック製のものが好ましく用いられる。樹脂には抗菌成分および／または防臭成分を含む樹脂を使用してもよい。
【００２３】
プレートの角の部分は、シーツを破らないように丸みを帯びた角にするのが好ましい。
【００２４】
シーツの材質としては、通常のシーツと同じ材質、例えば、綿、ポリエステル、絹、麻等が好適に用いられるが、本発明の目的を達成できる材質であれば特に制限されない。
【実施例】
【００２５】
以下に実施例により本発明を説明するが、本発明は実施例により何ら制限されるものではない。
（実施例１）
本発明の実施形態の１つを図１に示す。図１は防水シーツであるが、短い辺の一方に、２つのポケットが設けられている。このポケットの中央の間には空間があるが、その仕切は縫製により縫われている。
【００２６】
ポケットにプレートを入れた後、プレートの挿入口は面ファスナーで閉じられ、プレートがポケットから出ないようにする。
【００２７】
このプレート入の防水シーツを、図２のようにして壁側のベッドとマットレスの間に差し込む。この際、左右の手で左右のプレート部分を持ち、張力をかけて左右に引っ張りながらマットレスの下に挿入することで、シワを少なくすることができる。
【００２８】
プレートの色は、黒ないし、暗色系の色の方が、プレートが入っているかどうか、プレートの位置がわかるので好ましい。
【００２９】
プレート入シーツをマットレスに挟んだ後、手前側に向けて張力をかけてシワを少なくするようにシーツを引っ張ったのち、手前のマットレスの下に敷く。この際、必要に応じてプレートを入れるポケットを設置してプレートを挿入することもできる。
【００３０】
使用した防水シーツは、マットレスから外し、プレートを抜き出してから、通常のシーツと同様に洗濯することができ、繰り返して使用できる。プレートも必要に応じて洗剤で洗浄して繰り返し使用できる。
上記では防水シーツを例にして説明したが、防水シーツ以外の一般のシーツでも同様な方法でマットレスに設置し、取り外し、洗濯などすることができる。
【産業上の利用可能性】
【００３１】
本発明は、シーツ産業、介護産業に利用できる。
【符号の説明】
【００３２】
１    シーツ
２    ポケット
３    プレート
４    ベルクロ
５    マットレス
６    ベッド
【図１】
2020018812.tif 000003
【図２】
2020018812.tif 000004